(57)【要約】【課題】  容器の内面と液体との間で表面張力が発生しうる内径の容器に封入された試薬であって、界面活性剤を添加することにより、その表面張力の影響を低減させた試薬を提供する。【解決手段】  少なくともカチオン性界面活性剤を含有する試薬であって、溶媒が水でありカチオン性界面活性剤の濃度が０．０００１〜０．００１％（ｗ／ｖ）の範囲であることを特徴とする試薬。【選択図】    なし【特許請求の範囲】
【請求項１】
少なくともカチオン性界面活性剤を含有する試薬であって、
溶媒が水であり
カチオン性界面活性剤の濃度が０．０００１〜０．００１％（ｗ／ｖ）の範囲であることを特徴とする試薬。
【請求項２】
１，２−ジオキセタン系化学発光基質が添加されていることを特徴とする、請求項１に記載の試薬。
【請求項３】
内径が８ｍｍ以下の容器に充填されている、請求項１乃至２に記載の試薬。
【発明の詳細な説明】
【技術分野】
【０００１】
本発明は、容器の内面と液体との間で表面張力が発生しうる内径の容器に封入された試薬であって、界面活性剤を添加することにより、その表面張力の影響を低減させた試薬に関するものである。
【背景技術】
【０００２】
一般的に試薬などを溶解させるときには、試薬の溶解性のみならず、非引火性、経済性、生体に対する安全性などの理由から、溶媒として水を選択することが多い。
【０００３】
しかし、水はアルコールなどの有機溶媒と比較して表面張力が大きいため、例えば内径が８ｍｍ以下の小型容器に対して水溶液を封入してある場合、容器内壁に水溶液との表面張力が働いてその部位で留まってしまう現象が起こる。この現象は充填時のみならず、充填後にも確認される。
【０００４】
例えば、容器容量に水溶液を充填する場合には気層が天面側ある状態で開口部をアルミシール、樹脂シール、スクリューキャップ、ゴム栓などで封止する。しかし、輸送時や取り扱い時の衝撃などで、天面側に水溶液が移動した場合に、たとえ容器を正常な状態に静置させたとしても、表面張力の影響で天面側の水溶液が底方向へ移動しないことが多い。このまま天面側に水溶液がある状態で開封した場合には液漏れが発生し、作業者が被液する、装置が被液する、液量不足による正確な作業が実施できなくなるといった問題が発生していた。さらには、吸引ノズル等を容器に挿入し、容器の底部から吸引する場合には、気層からの吸引となってしまうため、定量性の無い吸引となる問題が発生していた。
【０００５】
また、水溶液を加熱することにより水の分子間力を弱め、表面張力を低減させることも知られているが、加熱による、溶解してある試薬の劣化や容器の破損などの問題もある。
【０００６】
特許文献１においては、容器の内部管内に芯材を導入することにより、液体が芯材に含浸しながら管内を移動しようとするので、表面張力が働かず、液体は管内を自由に移動可能となる技術が公開されている。
【０００７】
しかしながら、芯材を入れることは容器形状、包装形態、試薬使用形態から制限を受ける場合が多く、更に芯材材質に起因する試薬の劣化が起こることもあり、芯材を入れることが適切でない場合が多くある。
【先行技術文献】
【特許文献】
【０００８】
【特許文献１】特許５３１８１５８号公報
【発明の概要】
【発明が解決しようとする課題】
【０００９】
本発明の目的は、容器の内面と液体との間で表面張力が発生しうる内径の容器に封入された試薬であって、その表面張力の影響を低減させた試薬を提供することにある。
【課題を解決するための手段】
【００１０】
本発明者らは、鋭意検討を行った結果、界面活性剤を添加することにより表面張力の影響を低減させることを見出し、本発明を完成するに至った。
【００１１】
以下、本発明について詳細に説明する。
【００１２】
本発明は、少なくともカチオン性界面活性剤を含有する試薬であって、
溶媒が水であり
カチオン性界面活性剤の濃度が０．０００１〜０．００１％（ｗ／ｖ）の範囲であることを特徴とする試薬である。
なお、カチオン性界面活性剤の濃度に用いる％（ｗ／ｖ）は、水溶液１００ｍＬあたりに含まれる重さ（ｇ）で算出される。
【００１３】
また、上記の試薬には、１，２−ジオキセタン系化学発光基質が添加されていてもよい。さらに、内径が８ｍｍ以下の容器に充填されている、上記の試薬である。
【発明の効果】
【００１４】
本発明により、内径の小さい容器に充填されているものであっても、表面張力の影響を低減させた試薬を提供することができる。
【発明を実施するための形態】
【００１５】
本発明で使用される界面活性剤は、殺菌作用を有しており、かつ消毒剤として用いられているという安全性から見て、カチオン性界面活性を選択する。
【００１６】
本発明で使用されるカチオン性界面活性剤としては、例えば、セチルトリメチルアンモニウムブロミド（ＣＴＡＢ）、ベンザルコニウムクロリド、ベンゼトニウムクロリド、トリ−ｎ−ブチルヘキサデシルホスホニウムブロミド、エチルトリフェニルホスホニウムブロミド、トリヘプチルフェニルホスホニウムブロミドおよびテトラデシルトリフェニルホスホニウムブロミドがあげられる。
【００１７】
カチオン性界面活性剤の濃度は、０．０００１〜０．００１％（ｗ／ｖ）の範囲であることが好ましい。０．０００１％（ｗ／ｖ）よりも低い濃度では表面張力の影響を低減することができない。また、０．００１％（ｗ／ｖ）よりも高い濃度では振動などで生じた気泡が消失するのに時間がかかり、例えば試薬の液面検出の際に誤差を生じさせる原因となる。
【００１８】
本発明の試薬には、１，２−ジオキセタン系化学発光基質を添加してもよい。１，２−ジオキセタンとしては、例えば、５−ｔ−ブチル−４，４−ジメチル−１−（３’−ホスホリルオキシ）フェニル−２，６，７−トリオキサビシクロ［３．２．０］ヘプタンジナトリウム塩、３−（２’−スピロアダマンタン）−４−メトキシ−４−（３”−ホスホリルオキシ）フェニル−１，２−ジオキセタン  ジナトリウム塩、２−クロロ−５−（４−メトキシスピロ［１，２−ジオキセタン−３，２′−（５−クロロトリシクロ［３．３．１．１３．７］デカン］）−４−イル］−１−フェニルリン酸ジナトリウム塩、３−（４−メトキシスピロ［１，２−ジオキセタン−３，２′−（５−クロロトリシクロ［３．３．１．１３．７］デカン］）−４−イル］−１−フェニルリン酸ジナトリウム塩があげられる。
【００１９】
本発明の供給容器の材質は、熱可塑性樹脂（例えばオレフィン系樹脂、スチレン系樹脂、ビニル系樹脂、カーボネート系樹脂、ポリエステル系樹脂、ポリアミド系樹脂）やガラス等が例示できる。
【００２０】
本発明の供給容器の形状は特に限定しないが、表面張力が発生しうる内径の容器（例えば内径が８ｍｍ以下の小型容器）の場合に用いるのが好ましい。
【００２１】
本発明で使用される試薬には、緩衝剤などを合わせて溶解させることもできる。
【実施例】
【００２２】
次に、実施例を示して本発明を具体的に説明する。しかし、本発明はこれら実施例のみに限定されるものではない。
【００２３】
実施例１
純水８００ｍＬに２−アミノ−２−メチル−１−プロパノール４．４６ｇを溶解し、酢酸でｐＨ１０に調製した。この水溶液に１，２−ジオキセタン系化学発光基質である５−ｔ−ブチル−４，４−ジメチル−１−（３’−ホスホリルオキシ）フェニル−２，６，７−トリオキサビシクロ［３．２．０］ヘプタンジナトリウム塩を０．８ｇ、アジ化ナトリウムを１．０ｇそれぞれ添加した。さらに純水を添加して容量が１０００ｍＬとなるように調製した。調製した水溶液の組成は以下の通りである。
２−アミノ−２−メチル−１−プロパノール  ５０ｍＭ（ｐＨ１０）、５−ｔ−ブチル−４，４−ジメチル−１−（３’−ホスホリルオキシ）フェニル−２，６，７−トリオキサビシクロ［３．２．０］ヘプタンジナトリウム塩  ０．０８％（ｗ／ｖ）、アジ化ナトリウム  ０．１％（ｗ／ｖ）
【００２４】
前記水溶液をベースとして用いて、トリ−ｎ−ブチルヘキサデシルホスホニウムブロミドの濃度が０％（ｗ／ｖ）、０．００００５％（ｗ／ｖ）、０．０００１％（ｗ／ｖ）、０．０００２％（ｗ／ｖ）、０．００１％（ｗ／ｖ）、０．００５％（ｗ／ｖ）および０．０１％（ｗ／ｖ）となる水溶液を調製した。内径が８ｍｍの容器（容量４００μＬ）に、調製した水溶液をそれぞれ３５０μＬ分注した。その後アルミシールにて容器を封止した。容器の天地を反転させた状態で容器を指ではじき、気層を上部へと移動させた。次にゆっくり容器の天地を戻してそのまま静置し気層の動きを確認した。
【００２５】
界面活性剤濃度が０％（ｗ／ｖ）と０．００００５％（ｗ／ｖ）では気層の動きが観察されず、表面張力の影響を低減させることができなかった。０．０００１％（ｗ／ｖ）において気層の動きがゆっくりであるが確認され、０．０００２％（ｗ／ｖ）以上においては、容器の天地を戻してすぐに気層が動き、良好な結果であった。
【００２６】
実施例２
実施例１にて調製したものを、振盪機にて４５００ｐｐｓで３０秒間振盪し気泡を発生させた。次に容器をそのまま静置し気泡の状態を確認した。
【００２７】
界面活性剤濃度が０％（ｗ／ｖ）から０．０００２％（ｗ／ｖ）では、気泡が１０秒以内に消失する良好な結果であった。０．００１％（ｗ／ｖ）では、気泡が約３０秒で消失した。０．００５％（ｗ／ｖ）以上では、気泡の消失に１分以上要した。
【００２８】
実施例３
実施例１にて使用したトリ−ｎ−ブチルヘキサデシルホスホニウムブロミドの代わりに、カチオン性界面活性剤としてベンザルコニウムクロリドを使用した。
【００２９】
界面活性剤濃度が０％（ｗ／ｖ）と０．００００５％（ｗ／ｖ）では気層の動きが観察されず、表面張力の影響を低減させることができなかった。０．０００１％（ｗ／ｖ）において気層の動きがゆっくりであるが確認され、０．０００２％（ｗ／ｖ）以上においては、容器の天地を戻してすぐに気層が動き、良好な結果であった。
【００３０】
実施例４
実施例３にて調製したものを、振盪機にて４５００ｐｐｓで３０秒間振盪し気泡を発生させた。次に容器をそのまま静置し気泡の状態を確認した。
【００３１】
界面活性剤濃度が０％（ｗ／ｖ）から０．０００２％（ｗ／ｖ）では、気泡が１０秒以内に消失する良好な結果であった。０．００１％（ｗ／ｖ）では、気泡が約３０秒で消失した。０．００５％（ｗ／ｖ）以上では、気泡の消失に１分以上要した。
【００３２】
実施例１から実施例４までの結果を表１に示す。
【００３３】
【表１】
2017222845.tif 000002
【００３４】
参考例１
内径が９ｍｍの容器（容量１０００μＬ）に、純水を８５０μＬ分注した。その後アルミシールにて容器を封止した。容器の天地を反転させた状態で容器を指ではじき、気層を上部へと移動させた。次にゆっくり容器の天地を戻したところ、すぐに気層が動くことが確認された。
【００３５】
つまり、内径が８ｍｍよりも大きい容器においては、表面張力の影響は確認されなかった。